(57)【特許請求の範囲】
【請求項１】
柄の長手方向先端部に、植毛基台部と、相互に重なり合って摺接する複数の櫛状刃と、当該櫛状刃の刃先側を覆い複数の開口部が形成されたスキ部材と、を設け、駆動手段によって前記櫛状刃のうち少なくともいずれか一方を往復動させることで、前記開口部を介して前記櫛状刃の各刃間に導入された毛をスキ刈りできるようにしたスキ刈り機能付きのヘアブラシであって、
前記開口部を開閉可能な開閉部材を設けたことを特徴とするヘアブラシ。
【請求項２】
前記開閉部材を前記スキ部材に沿ってスライド可能に支持するスライド支持機構を設け
たことを特徴とする請求項１に記載のヘアブラシ。
【請求項３】
前記開閉部材に第２開口部を複数設け、
前記開閉部材を所定位置にスライドさせた状態で、第２開口部と重なり合って開放される前記開口部と、前記開閉部材によって閉塞される前記開口部と、が混在するようにした
ことを特徴とする請求項２に記載のヘアブラシ。
【請求項４】
前記開閉部材による前記開口部の開度を可変設定可能な開放度調整機構を設けたことを特徴とする請求項１〜３のうちいずれか一つに記載のヘアブラシ。
【請求項５】
前記開閉部材は少なくとも前記開口部を開放する開位置と開口部を閉塞する閉位置との間で移動可能に構成されており、
前記駆動手段の動作を切り替えるスイッチと、当該スイッチの操作子と前記開閉部材とを連動させる連動機構と、を設けたことを特徴とする請求項１〜４のうちいずれか一つに記載のヘアブラシ。
【発明の詳細な説明】
【技術分野】
【０００１】
本発明は、スキ刈り機能付きヘアブラシに関する。
【背景技術】
【０００２】
毛をスキ刈り（セニング）可能な装置として、例えば特許文献１に開示されるヘアカッタが知られている。
【０００３】
特許文献１に開示されるヘアカッタは、櫛状の固定刃と当該固定刃に沿って往復動する可動刃とを有するカッタ本体を備えており、固定刃と可動刃との間に導入された毛を切断するように構成されている。
【０００４】
そして、固定刃と可動刃とを有するカッタ本体を覆うように、スリットが複数形成されたアタッチメントを取り付け、スリットから導入された毛を選択的に切断することで、
所謂スキ刈りができるようになっている。
【特許文献１】特開昭５５−４７８８５号公報
【発明の開示】
【発明が解決しようとする課題】
【０００５】
しかしながら、上記従来のヘアカッタでは、アタッチメントの肉厚が比較的薄くなっており、アタッチメントの表面をそのまま頭皮に突き当てると、頭皮から刃までの距離が短くなりすぎる、すなわち、毛が短くなりすぎる虞がある。
【０００６】
上記のことから、より良好な仕上がりを得るには、頭皮から適度な距離を維持しながら処理を行うことが望ましいこととなり、かかる処理には習熟を要し、不慣れな者には扱い難いという問題があった。
【０００７】
そこで、本発明は、より容易に取り扱うことができるスキ刈り可能な装置を得ることを目的とする。
【課題を解決するための手段】
【０００８】
請求項１の発明にあっては、柄の長手方向先端部に、植毛基台部と、相互に重なり合って摺接する複数の櫛状刃と、当該櫛状刃の刃先側を覆い複数の開口部が形成されたスキ部材と、を設け、駆動手段によって上記櫛状刃のうち少なくともいずれか一方を往復動させることで、上記開口部を介して上記櫛状刃の各刃間に導入された毛をスキ刈りできるようにしたスキ刈り機能付きのヘアブラシであって、上記開口部を開閉可能な開閉部材を設けたことを特徴とする。
【０００９】
請求項２の発明にあっては、上記開閉部材を上記スキ部材に沿ってスライド可能に支持するスライド支持機構を設けたことを特徴とする。
【００１０】
請求項３の発明にあっては、上記開閉部材に第２開口部を複数設け、上記開閉部材を所定位置にスライドさせた状態で、第２開口部と重なり合って開放される上記開口部と、上記開閉部材によって閉塞される上記開口部と、が混在するようにしたことを特徴とする。
【００１１】
請求項４の発明にあっては、上記開閉部材による上記開口部の開度を可変設定可能な開放度調整機構を設けたことを特徴とする。
【００１２】
請求項５の発明にあっては、上記開閉部材は少なくとも上記開口部を開放する開位置と開口部を閉塞する閉位置との間で移動可能に構成されており、上記駆動手段の動作を切り替えるスイッチと、当該スイッチの操作子と上記開閉部材とを連動させる連動機構と、を設けたことを特徴とする。
【発明の効果】
【００１３】
請求項１の発明によれば、スキ刈りを行う櫛状刃をブラシの植毛基台部とともに設けたため、植毛基台部に植毛される櫛片やブリッスル等によって、櫛状刃から頭皮までの距離を確保しやすくなる。また、スキ刈りを行わず髪を梳かすだけの目的で使用する際には、開閉部材によってスキ部材の開口部を閉じることで、ヘアブラシをより円滑に動かすことが可能となる。
【００１４】
請求項２の発明によれば、植毛基台部内で開閉部材が移動するスペースをより小さくすることができる。
【００１５】
請求項３の発明によれば、スキ部材の開口部を選択的に開口させることで、スキ量やカット率を調節することができる。
【００１６】
請求項４の発明によれば、スキ部材の開口部の開口量を変化させることで、スキ量やカット率を調節することができる。
【００１７】
請求項５の発明によれば、開閉部材を操作子と連動させることで、開口部の開閉状態に応じたより適切な櫛状刃の動作状態を得ることができる。
【発明を実施するための最良の形態】
【００１８】
以下、本発明の実施形態について図面を参照しながら詳細に説明する。図１は、本発明の実施形態にかかるスキ刈り機能付きヘアカッタ（以下、ヘアブラシと称す）を示す斜視図、図２は、ヘアブラシの本体と組み付け前の開閉部材を示す斜視図、図３は、アタッチメントを示す斜視図、図４は、アタッチメントを示す平面図、図５は、アタッチメントを示す断面図である。
【００１９】
図１において、ヘアブラシ１は、略円柱状で長く伸びる柄として機能する本体２を備えている。本体２の長手方向一端部には、櫛片１７を植毛したアタッチメント３が着脱可能に装着される。
【００２０】
図２に示すように、本体２の長手方向一端部には、ヘアカッタ部４が設けられる。このヘアカッタ部４は、本体２に固定された固定刃５と、この固定刃５と摺動する可動刃６と、を備えている。これら固定刃５および可動刃６は、いずれも板状に形成され、その一辺に沿って略一直線状に並ぶ複数の鋸歯を備えた櫛状刃（鋸刃）として構成されている。このヘアカッタ部４では、固定刃５の鋸歯間の切欠と、可動刃６の鋸歯間の切欠とが重なりあった部分に挿入された毛が、往復する可動刃６によって固定刃５との間に挟まれて剪断される。
【００２１】
可動刃６は、本体２の内部に装備される駆動機構（例えばリニアモータやその駆動回路など、図示せず）や当該駆動機構の電源（例えば電池等）等によって駆動される。また、駆動機構の動作は、本体２の長手方向略中央部に設けられた操作スイッチ７によって切り替えられる。操作スイッチ７は、本体２の長手方向に沿って往復可能な操作子７ａを備えている。
【００２２】
図３に示すように、アタッチメント３は、本体２の先端部に装着されるブロック部９を有している。このブロック部９には、本体２の先端部であるヘアカッタ部４をその内部に挿入収容させる収容空間１０が形成されている。収容空間１０の一方の内壁面１０ａには、本体２に対してブロック部９が軸周りに回転するのを規制する回転規制片１１が設けられている。回転規制片１１は、収容空間１０の開口から内部の奥へと向かって延びる舌片形状として形成されており、本体２に設けられた溝部１２（図２参照）に挿入係合されることで、ブロック部９の本体２に対する軸周り方向への回転を規制する。なお、この溝部１２は、本体２の側面から突出する平面視略コ字状の突片１３に形成されている。
【００２３】
また、このアタッチメント３には、長手方向に直交する断面が略アーチ状となって長手方向に沿って延びる植毛基台部３ａが設けられている。植毛基台部３ａの略円柱面状の表面３ｂには、ほぼ一定の密度で略一定高さの櫛片１７が複数立設されている。櫛片１７は、本実施形態では、基端部１７ａから先端部１７ｂに行くに従って先細りとなる細長い円錐体として形成されている。この櫛片１７は弾性（可撓性）を有しており、側方から加えた力に応じて撓むようになっている。
【００２４】
さらに、このアタッチメント３には、スキ刈りを行うのに用いるスキ部材１４を設けてある。スキ部材１４は、植毛基台部３ａの短手方向略中央部で、長手方向に沿って細長く伸びている。スキ部材１４は、稜線部８ｄで相互に逆Ｖ字状（山型）に繋げられた二つの側板１４ａを有しており、ヘアカッタ部４の固定刃５および可動刃６の刃先側を間隙をもって覆っている。
【００２５】
このスキ部材１４には、略一定のピッチで複数の開口部１５が形成されている。開口部１５は、稜線部８ｄから両側板１４ａを先細り状に切り込んで形成されており、図４に示すように、稜線部８ｄの上外方からの視線では略菱形状となっている。かかる構成では、開口部１５からスキ部材１４の内側に導入された毛がヘアカッタ部４によって切断される一方、開口部１５間の遮蔽部１６に当接した毛は、ヘアカッタ部４によっては切断されないことになる。
【００２６】
さらに、植毛基台部３ａの表面３ｂの幅方向両縁部には、それぞれ、長手方向に沿って細長く伸びる突条としてのゴム部材１８が設けられている。ゴム部材１８は、毛髪に張力を掛け、スキ部材１４に形成した開口部１５に毛髪の導入を促すように作用する。
【００２７】
図５に示すように、ヘアカッタ部４およびスキ部材１４の開口部１５は、ブラシで毛髪を梳かした際に、毛髪がヘアカッタ部４により確実に導入されるよう、植毛基台部３ａの表面３ｂより高い位置に設けられている。本実施形態にかかるヘアブラシ１では、毛髪を梳かす観点の他、毛髪を間引く観点からも、これらの設定位置（高さ）、植毛基台部３ａの表面３ｂの曲率半径、表面３ｂの面粗度等の各スペックが、適宜に調整される。
【００２８】
そして、このヘアブラシ１には、スキ部材１４の開口部１５を開閉する開閉部材８を設けてある。
【００２９】
本実施形態では、開閉部材８は、スキ部材１４の開口部１５をスキ部材１４の内側から塞ぐようになっており、スキ部材１４の二つの側板１４ａの内面に沿う二つの側板８ｃを備えている。これら二つの側板８ｃは、直線状の稜線部８ｄで相互に略逆Ｖ字状に繋がっている。また、開閉部材８と可動刃６との間には適宜な隙間が設定され、開閉部材８が可動刃６と干渉しないようにしてある。
【００３０】
また、開閉部材８には、複数の開口部（第２開口部）８ａが形成されている。本実施形態では、開口部１５は、稜線部８ｄから当該稜線部８ｄと略垂直に二つの側板８ｃを略矩形状に切り込むように形成されており、図４に示すように、稜線部８ｄの上外方からの視線ではそれら切り込み同士が連設された略矩形状を呈することになる。また、開口部８ａは、スキ部材１４の開口部１５と略同一のピッチで同一数、形成されている。
【００３１】
さらに、この開閉部材８は、スライド支持機構１９によって、スキ部材１４の内壁面に沿って長手方向に往復スライド可能に支持されている。本実施形態では、スキ部材１４の二つの側板１４ａの内壁面にスキ部材１４の長手方向に沿って延設された一対の突条部１４ｂを設け、これら一対の突条部１４ｂに、開閉部材８の断面略逆Ｖ字型の両縁を摺動可能に載置してある。
【００３２】
上記構成によって、開閉部材８のスライド位置に応じて、スキ部材１４の開口部１５と開閉部材８の開口部８ａとが重なり合う状態が変化することになる。すなわち、スキ部材１４の開口部１５と開閉部材８の開口部８ａとが丁度重なると、スキ部材１４の開口部１５は全開状態となり、一方、スキ部材１４の開口部１５に相互に隣接する開閉部材８の閉塞部８ｂが丁度重なると、スキ部材１４の開口部１５はスキ部材１４の閉塞部８ｂで塞がれた全閉状態となる。また、スキ部材１４の開口部１５の一部が開閉部材８の閉塞部８ｂで塞がれると、当該スキ部材１４の開口部１５は半開状態となる。
【００３３】
また、本実施形態では、この開閉部材８が、駆動機構の動作を切り替える操作スイッチ７に備えられた操作子７ａと連動して往復動するように構成されている。
【００３４】
すなわち、操作スイッチ７は、本体２の長手方向の略中央部に、ヘアカッタ部４と略直列となる位置に設けられており、本体２の長手方向に沿って往復動可能な操作子７ａを有している。
【００３５】
この操作子７ａは、植毛基台部３ａ側から最も離間した位置（スイッチＯＦＦ）、植毛基台部３ａ側に最も近接した位置（スイッチＯＮ）、ならびにそれらの中間位置（スイッチＯＮ）の合計３箇所でセットされるようになっている。
【００３６】
また、操作子７ａは、連結杆７ｂにより開閉部材８と繋がっている。なお、本実施形態では、連結杆７ｂは、開閉部材８および操作スイッチ７と共に一体成型されている。
【００３７】
したがって、図６（ａ）に示すように、スイッチＯＦＦで操作子７ａが植毛基台部３ａ側から最も離間した長手方向他方側（図６では左側）にある状態では、開閉部材８もスキ部材１４に対して長手方向他方側に位置することになる。本実施形態では、この状態で、スキ部材１４の開口部１５が開閉部材８の閉塞部８ｂによって閉塞されるように構成されている。
【００３８】
一方、図６（ｃ）に示すように、スイッチＯＮで操作子７ａが植毛基台部３ａ側に最も近接した長手方向一方側（図６では右側）にある状態では、開閉部材８もスキ部材１４に対して長手方向一方側に位置することになる。本実施形態では、この状態で、スキ部材１４の開口部１５と開閉部材８の開口部８ａとが丁度重なり合い、スキ部材１４の開口部１５の略全域が開放されるようになっている。
【００３９】
また、図６（ｂ）に示すように、操作子７ａが中間位置にある状態では、スキ部材１４の開口部１５の一部が、開閉部材８の閉塞部８ｂで塞がれ、スキ部材１４の開口部１５は半開状態となるようになっている。
【００４０】
したがって、操作子７ａの位置に応じて、スイッチＯＦＦ時には、スキ部材１４の開口部１５を開閉部材８の閉塞部８ｂによって塞ぐ一方、スイッチＯＮ時には、スキ部材１４の開口部１５を開閉部材８の開口部８ａによって開放し、しかも操作子７ａの位置に応じて、スキ部材１４の開口部１５の開口面積を変化させることができる。
【００４１】
上記構成では、操作子７ａが操作スイッチ７の本体部にセットされる位置によって、スキ部材１４の開口部１５の開口面積（開放度）が調整されることになる。すなわち、本実施形態では、操作スイッチ７が、開放度調整機構２０に相当する。なお、操作子７ａをその動作範囲の複数箇所で本体部に対して固定（係止）する構成としては、公知の技術を採用することができる。
【００４２】
以上、説明したように、本実施形態では、本体２の長手方向先端部に、植毛基台部３ａと、相互に重なり合って摺接する複数の櫛状刃としての固定刃５および可動刃６と、櫛状刃の刃先側を覆い複数の開口部１５が形成されたスキ部材１４と、を設け、駆動手段によって可動刃６を往復動させることで、開口部１５を介して各刃間に導入された毛をスキ刈りできるようにした。このように、スキ刈りを行う櫛状刃をブラシの植毛基台部３ａとともにに設けたため、植毛基台部３ａに植毛される櫛片１７やブリッスル等によって、櫛状刃から頭皮までの距離を確保しやすくなる。
【００４３】
さらに、本実施形態では、開口部１５を開閉可能な開閉部材８を設けた。よって、スキ刈りを行わず髪を梳かすだけの目的でヘアブラシ１を使用する際には、開閉部材８によってスキ部材１４の開口部１５を閉じることで、ヘアブラシ１をより円滑に動かすことが可能となる。
【００４４】
また、本実施形態では、開閉部材８をスキ部材１４に沿ってスライド可能に支持するスライド支持機構１９を設けた。よって、開閉部材８を回動させて開口部１５を開閉させるような場合に比べて、植毛基台部３ａ内で開閉部材８が移動するスペースをより小さくすることができる。また、操作スイッチ７の操作子７ａの動作と連動させやすくなるという利点もある。
【００４５】
また、本実施形態では、開閉部材８による開口部１５の開度を可変設定可能な開放度調整機構２０を設けた。よって、スキ部材１４の開口部１５の開口量を変化させることで、スキ量やカット率を調節することができる。
【００４６】
また、本実施形態では、開閉部材８は少なくとも開口部１５を開放する開位置と開口部を閉塞する閉位置との間で移動可能に構成されており、駆動手段の動作を切り替える操作スイッチ７と、操作子７ａと開閉部材８とを連動させる連動機構２１と、を設けた構成とした。よって、開閉部材８を操作子７ａと連動させることで、開口部１５の開閉状態に応じたより適切な櫛状刃としての可動刃６の動作状態を得ることができる。また、スキ部材１４と開閉部材８との間に開閉を変化させる位置決め機構を設ける必要が無くなる分、構成を簡素化することができる。
【００４７】
そして、上記構成により、本実施形態では、図７に示すように、ヘアブラシ１を毛髪２２の内側から当てて、スキ刈りを行うことができるため、より自然な感じで毛髪２２のボリュームを減らすことが可能となる。しかも、髪を梳かして整髪しながらスキ刈りを行うことができるため、カットされる長さを整えることができ、場所によってスキ刈り量がばらつくのを抑制することができる。
【００４８】
また、本実施形態では、本体２よりアタッチメント３を取り外して使用すれば、櫛状刃のみのヘアカッタとして使用可能である。
【００４９】
以上、本発明の好適な実施形態について説明したが、本発明は上記実施形態には限定されず、種々の変形が可能である。
【００５０】
例えば、図８に示すように、スキ部材１４の開口部１５と開閉部材８の開口部８ａとのレイアウトにより、スキ部材１４の開口部１５を選択的に開放させることができる。すなわち、開閉部材８を所定位置にスライドさせた状態で、開口部８ａと重なり合って開放される開口部１５と、開閉部材８によって閉塞される開口部１５と、が混在させることができる。
【００５１】
図８に示す変形例では、スキ部材１４の開口部１５を、長手方向に沿って、その開口幅Ｗ１に対して、その３倍となるピッチＰ１（＝３＊Ｗ１）で、略等間隔に配置している。
【００５２】
また、開閉部材８には、スキ部材１４の開口部１５と等幅の開口幅Ｗ２（＝Ｗ１）で形成された開口部８ａ１と、開口部１５の幅の２倍となる開口幅Ｗ３（＝２＊Ｗ１）で形成された開口部８ａ２とを交互に形成してある。
【００５３】
そして、開口部８ａ１を、図８（ａ）に示す全閉状態で、スキ部材１４の開口部１５に対して、移動方向（矢印Ｍ方向）の手前側（図８では右側）に隣接して配置し、開口部８ａ２を、開口部１５に対して、開口幅Ｗ１分だけ移動方向（矢印Ｍ方向）の手前側（図８では右側）に配置している。
【００５４】
かかる構成で、開閉部材８を、図８（ａ）に示す全閉状態から開口幅Ｗ１と等しい距離だけ図中左方向（矢印Ｍ方向）に動かすと、図８（ｂ）に示すように、開口部８ａ１は開口部１５と重なり合わず、開口部８ａ２は開口部１５と重なり合う状態となる。すなわち、開口部８ａ２と重なり合った開口部１５のみが開放されることとなり、開放された開口部１５と閉塞された開口部１５とが交互に配置された半開状態が得られる。
【００５５】
さらに、開閉部材８を、図８（ｂ）に示す半開状態から、図８（ｃ）に示すように開口幅Ｗ１と等しい距離だけ図中左方向（矢印Ｍ方向）へ動かすと、全ての開口部１５が開口部８ａ１、８ａ２と重なり合って開放された全開状態が得られる。
【００５６】
なお、図８の変形例では、開口部８ａ１，８ａ２を交互に配置したため、半開状態で開放される開口部が飛び石状態に配置されたが、開口部８ａ１，８ａ２のレイアウトによって、半開状態で開放する開口部を変更できることは容易に理解できよう。このように、本変形例では、スキ部材１４の開口部１５を選択的に開放させることができる。なお、本変形例にかかるスキ部材ならびに開閉部材は、上記実施形態にかかるヘアブラシ１に置換して適用できることは言うまでもない。
【００５７】
また、上記実施形態および変形例では、ヘアカッタ部４を備えるスキ刈り手段を一箇所のみ備える構成となっているが、勿論、複数備えることも可能である。例えば、植毛基台部３ａの櫛片１７が、本体２の軸周り円柱面上の全てに配されるように設け、適宜間隔をもってスキ刈り手段を複数配置することもできる。
【図面の簡単な説明】
【００５８】
【図１】本発明の一実施形態にかかるスキ刈り機能付きヘアカッタの斜視図である。
【図２】本発明の一実施形態にかかるスキ刈り機能付きヘアカッタの本体と組み付け前の開閉部材とを示す斜視図である。
【図３】本発明の一実施形態にかかるスキ刈り機能付きヘアカッタに含まれるアタッチメントを示す斜視図である。
【図４】本発明の一実施形態にかかるスキ刈り機能付きヘアカッタに含まれるアタッチメントを示す平面図である。
【図５】本発明の一実施形態にかかるスキ刈り機能付きヘアカッタに含まれるアタッチメントを示す断面図である。
【図６】本発明の一実施形態にかかるスキ刈り機能付きヘアカッタに含まれる開閉部材の動作状態を示す図である。
【図７】本発明の一実施形態にかかるスキ刈り機能付きヘアカッタの使用例を示す図である。
【図８】本発明の一変形例にかかるスキ刈り機能付きヘアカッタの開口部の開閉状態を示す模式図である。
【符号の説明】
【００５９】
１    ヘアブラシ
２    本体
３ａ  植毛基台部
７    操作スイッチ
７ａ  操作子
８    開閉部材
８ａ  開口部（第２開口部）
１４  スキ部材
１５  開口部
１９  スライド支持機構
２０  開放度調節機構
２１  連動機構
【図１】
0004483964.tif 000002
【図２】
0004483964.tif 000003
【図３】
0004483964.tif 000004
【図４】
0004483964.tif 000005
【図５】
0004483964.tif 000006
【図６】
0004483964.tif 000007
【図７】
0004483964.tif 000008
【図８】
0004483964.tif 000009